(57)【特許請求の範囲】
【請求項１】
ゴルフボール打撃時のスイング画像と、該打撃時に計測した測定値データを含む打撃解析データとを関連させたスイング情報として情報処理機器の記憶媒体に保存し、かつ、
上記測定値データをもとに算出した立体飛球弾道図と立体背景画像とを合成することにより、打撃時の飛球の３Ｄシミュレーション画像を上記スイング情報と共に記録媒体に保存し、該保存されたスイング情報をユーザーに提示可能としているゴルフスイング記録保存システム。
【請求項２】
ゴルフボール打撃時のスイング画像と、該打撃時に計測した打撃解析データとを関連させたスイング情報として情報処理機器の記憶媒体に保存し、
上記情報処理機器に保存された上記スイング情報は、ＣＤ−Ｒ／ＲＷ等の外部記録媒体に出力して記録し、スイングしたユーザーに頒布可能とし、かつ、
上記外部記録媒体は、端末機器から通信ネットワークを介してサーバーへの接続を補助するプログラムを保存しており、上記外部記録媒体のスイング情報を通信ネットワークを介して受信したサーバーから、該スイング情報を分析して診断結果等の情報を上記通信ネットワークを介して上記端末機器に送信できる構成としているゴルフスイング記録保持システム。
【請求項３】
ゴルフボール打撃時のスイング画像と、該打撃時に計測した打撃解析データとを関連させたスイング情報として情報処理機器の記憶媒体に保存し、
上記スイング情報は顧客情報としてデータベースに時系列データとして蓄積保存され、この蓄積データは通信ネットワークを含む通信手段を介して顧客に提示可能としているゴルフスイング記録保存システム。
【請求項４】
上記記憶媒体に保存されたスイング情報が表示された状態で、上記打撃解析データの表示部の上下左右のいずれか隣接した領域に、上記スイング画像の表示部を設け、スイング画像と該スイングに基づく打撃解析データとが一画面上で対比出来る構成としている請求項１乃至請求項３のいずれか１項に記載のゴルフスイング記録保存システム。
【請求項５】
上記スイング情報のスイング画像は、スイング時における正面画像または／および飛球線後方画像を含み、該スイング画像に打撃フォームチェック用の補助線となる水平線、垂直線あるいは／および斜め線を付加している請求項１乃至請求項４のいずれか１項に記載のゴルフスイング記録保存システム。
【請求項６】
上記スイング画像は動画像であり、該動画像はスロー速度あるいは／およびコマ送り速度で表示可能とすると共に、全体的および部分的に拡大画像とすることが可能とされている請求項１乃至請求項５のいずれか１項に記載のゴルフスイング記録保存システム。
【請求項７】
上記スイング情報の打撃解析データは、スイング時に打撃計測装置で計測された測定値と、該測定値に基づいて算出された予測計算値及び予測飛球弾道図とからなり、
上記測定値は打撃時におけるヘッドスピード、ボール打出初速、打出角、スピン方向、フェース方向あるいは／および打点であり、上記予測計算値は左右ぶれ、飛距離である請求項１乃至請求項６のいずれか１項に記載のゴルフスイング記録保存システム。
【請求項８】
上記スイング情報は、スイングを撮影するデジタル画像形成手段から出力される画像データと、打撃計測装置から出力される測定値データとを、上記情報処理機器内に入力し、上記測定値データは情報処理機器内の演算処理手段により上記予測計算値および予測飛球弾道図を求め、上記画像データと共に記録媒体に保存している請求項１乃至請求項７のいずれか１項に記載のゴルフスイング記録保存システム。
【請求項９】
上記打撃時の打撃音及びシャフト音を録音する集音手段を備え、上記スイング画像及び上記打撃解析データと共に関連させて保存している請求項１乃至請求項８のいずれか１項に記載のゴルフスイング記録保存システム。
【請求項１０】
上記スイング画像は、打撃音、ゴルフクラブの挙動検知センサーの作動をトリガーとし、該トリガー発生の前後所要時間の画像からなる請求項１乃至請求項９に記載のゴルフスイング記録保存システム。
【発明の詳細な説明】
【０００１】
【発明の属する技術分野】
本発明は、ゴルフスイング記録保存システムに関し、詳しくは、打撃計測器でゴルフボールを打撃した時のスイング画像と該スイング時における各種計測値とを対比できるように保存して、ゴルフスイングの向上に役立てるものである。
【０００２】
【従来の技術】
近時、ゴルフショップやゴルフ練習場等にゴルフ打撃計測機が設置されており、計測した打撃情報から各種測定値を算出して、飛距離や飛び方向などを測定できるようになっている。
この種のゴルフ打撃計測機では、顧客のゴルフスイングを計測し、この計測値に基づいてヘッドスピード、打出ボール初速、打出角度、スピン方向、飛距離等の予測計算値が算出され、この予測計算値が顧客に知らされる。顧客は各スイング毎に予測の飛距離や飛び方向が知ることができ、スイングに関する客観的なデータを得ることができ、ゴルフスイングの上達に役立てることができる。
【０００３】
【発明が解決しようとする課題】
しかしながら、飛距離や飛び方向などを含む測定値のみを提示されても、スイング画像がないため、どのようなスイングの時に飛距離を伸ばすことが出来、どういう時に飛球弾道が曲がるかを客観的に把握することが出来ない。
自己のスイングを検証したい場合には、第三者にビデオカメラ等で撮影してもらい、その撮影画像にて自己のスイングを検証する必要がある。しかしながら、その場合には、上記計測器械で得られる打撃時の測定データを得ることが出来ない。
【０００４】
ゴルフ打撃計測機での測定時に、設置したカメラでスイング画像を得ることはできるが、計測データの記録紙とスイング画像の記録紙とは別々のものとなり、打撃を複数回行うと、スイングとデータとの組み合わせに手数がかかると共に、不一致が発生しやすい問題がある。
さらに、ゴルフショップやゴルフ練習場などで、スイングについてのアドバイスを受けたい場合には、その場所において専属のコーチについてアドバイスを受ける以外になく、費用が高くつくと共に時間的な制約もあり非効率である。
よって、上記測定値や打撃時のスイング画像などの情報を何らかの形で有効利用して今後のスイング向上に活かすことが望まれる。
【０００５】
本発明は、上記問題に鑑みてなされたもので、打撃時の測定値及び計算値とスイング画像とを機能的に関連させることで効率的なスイングチェックが出来るようにすることを課題としている。
【０００６】
【課題を解決するための手段】
上記課題を解決するため、ゴルフボール打撃時のスイング画像と、計測した打撃解析データとを関連させたスイング情報として情報処理機器の記憶媒体に保存し、該保存されたスイング情報をユーザーに提示可能としており、
具体的には、第一の発明では、ゴルフボール打撃時のスイング画像と、該打撃時に計測した測定値データを含む打撃解析データとを関連させたスイング情報として情報処理機器の記憶媒体に保存し、かつ、
上記測定値データをもとに算出した立体飛球弾道図と立体背景画像とを合成することにより、打撃時の飛球の３Ｄシミュレーション画像を上記スイング情報と共に記録媒体に保存し、該保存されたスイング情報をユーザーに提示可能としているゴルフスイング記録保存システムを提供している。
第二の発明では、ゴルフボール打撃時のスイング画像と、該打撃時に計測した打撃解析データとを関連させたスイング情報として情報処理機器の記憶媒体に保存し、
上記情報処理機器に保存された上記スイング情報は、ＣＤ−Ｒ／ＲＷ等の外部記録媒体に出力して記録し、スイングしたユーザーに頒布可能とし、かつ、
上記外部記録媒体は、端末機器から通信ネットワークを介してサーバーへの接続を補助するプログラムを保存しており、上記外部記録媒体のスイング情報を通信ネットワークを介して受信したサーバーから、該スイング情報を分析して診断結果等の情報を上記通信ネットワークを介して上記端末機器に送信できる構成としているゴルフスイング記録保持システムを提供している。
第三の発明では、ゴルフボール打撃時のスイング画像と、該打撃時に計測した打撃解析データとを関連させたスイング情報として情報処理機器の記憶媒体に保存し、
上記スイング情報は顧客情報としてデータベースに時系列データとして蓄積保存され、この蓄積データは通信ネットワークを含む通信手段を介して顧客に提示可能としているゴルフスイング記録保存システムを提供している。
【０００７】
上記本発明では、ゴルフボール打撃時のスイング画像が上記打撃解析データと関連付けされた状態でスイング情報として情報処理機器の記憶媒体に保存されていることにより、ゴルフボール打撃時に計測した打撃解析データをユーザーが検討する際に、当該打撃時のスイング（打撃フォーム）がどのようになっているかを検討することができる。
また、複数回の打撃時の各スイング情報を時系列的に保存すれば、ユーザーは、打撃解析データの結果が悪い時（例えば、弾道がスライスまたはフック等している場合）のスイング画像と、打撃解析データの結果が良い時（例えば、弾道が真っ直ぐの場合）のスイング画像とを検討することにより、自己の打撃フォームの欠点を容易に発見することができる。
【０００８】
上記記録媒体に保存されたスイング情報が表示された状態で、上記打撃解析データの表示部の上下左右のいずれか隣接した領域に、上記スイング画像の表示部を設け、スイングと該スイングに基づく打撃解析データとが一画面上で対比出来る構成としている。
【０００９】
上記構成とすると、一画面上で打撃解析データとスイング画像とを同時に比較検討することができるので、打撃解析データの結果を憶えておいてから当該打撃時のスイング画像を検討する等の煩わしい手間が省け、スイングの欠点などを容易に発見することができる。
さらにまた、ユーザーが打撃解析データとスイング画像とを参照するために画面を切り替えたりする等の手間も省けるので、操作性も良好となる。
【００１０】
上記のように、第二の発明では、上記情報処理機器に保存された上記スイング情報は、ＣＤ−Ｒ／ＲＷ等の外部記録媒体に出力して記録し、スイングしたユーザーに頒布可能としている。
【００１１】
打撃計測機の設置場所のみでしか自己のスイング情報を画像で見ることが出来ないとすると、短い時間で十分に検討できない場合がある。そこで、上記情報処理機器の記録媒体に保存された上記スイング情報をＣＤ−Ｒ／ＲＷ等の上記外部記録媒体に出力することで、それを持ち帰ったユーザーが、後日、自宅等にてパソコン等の端末機器でじっくり検討することが可能となる。
なお、上記外部記録媒体は持ち運び自由のものであればＣＤ−Ｒ／ＲＷ、ＣＤ−ＲＯＭ、ＭＯ、メモリーカード等いずれのものでもよいことは言うまでもない。
【００１２】
また、上記外部記録媒体としてＣＤ−ＲＯＭのようなライト・ワンスのものではなく、ＣＤ−Ｒ／ＲＷのような追加記録保存が可能なものを用いれば、顧客はは、次ぎに打撃計測機で得られた情報を時系列的に追加記録することができる。即ち、外部記録媒体を顧客にとって、自己のスイング情報を集めたアルバムとして利用でき、所謂、スイングカルテを作成することができる。
【００１３】
上記スイング情報のスイング画像は、スイング時における正面画像または／および飛球線後方画像を含み、該スイング画像に打撃フォームチェック用の補助線となる水平線、垂直線あるいは／および斜め線を付加している。
【００１４】
上記スイング画像を正面あるいは／および飛球線後方からの画像とすることで、スイング時のフォームをチェックし易くなると共に、上記スイング画像に上記補助線を付加することで、フォームのチェックポイントであるユーザーの頭の位置や腕、肩の角度や体の開き等の視認性を高めることができる。
【００１５】
上記スイング画像は動画像とし、該動画像はスロー速度あるいは／およびコマ送り速度で表示可能とすると共に、全体的および部分的に拡大画像とすることを可能としている。
【００１６】
上記スイング画像を動画像とすることにより、任意のタイミングで画像を得ることができると共に、スイング全体の一連動作を把握することができる。
また、スロー速度あるいは／およびコマ送り速度で表示可能としているので、スイングフォームの把握がより一層行い易くなっている。
さらに、全体的な画像と部分的な拡大画像とを表示することが可能となっていることにより、スイング全体のバランス等を把握できると共にグリップ等の部分的なチェックも行うことができる。
【００１７】
上記スイング情報の打撃解析データは、スイング時に打撃計測装置で計測された測定値と、該測定値に基づいて算出された予測計算値及び予測飛球弾道図とからなり、
上記測定値は打撃時におけるヘッドスピード、ボール打出初速、打出角、スピン方向、フェース方向あるいは／および打点であり、上記予測計算値は左右ぶれ、飛距離である。
【００１８】
上記のように、打撃計測装置で計測された上記各種測定値を基にして左右ぶれ、飛距離を計算しているので、実際にゴルフコースで打撃したのと同じように、打球の弾道を把握することができる。また、予測計算値と同時に予測飛球弾道図も求めて表示しているので、飛球弾道をビジュアル的に容易に把握することができる。
【００１９】
さらに、上記第一の発明のように、上記測定値データをもとに算出した立体飛球弾道図と立体背景画像とを合成することにより、打撃時の飛球の３Ｄシミュレーション画像を上記スイング情報と共に記録媒体に保存すると、自己の飛球弾道をより一層視覚的に把握し易くなると共に、上記３Ｄ画像をゴルファーの目線からの画像とすると、実際にゴルフ場で打撃を行ったかのような臨場感を与えることができる。
【００２０】
なお、上記スイング画像は、スイングを撮影するデジタル画像形成手段から出力される画像データと、打撃計測装置から出力される測定値データとを、上記情報処理機器内に入力し、上記測定値データは情報処理機器内の演算処理手段により上記計算値および飛球弾道図を求め、上記画像データと共に記録媒体に保存している。
【００２１】
また、上記ゴルフスイング記録保存システムに、上記打撃時の打撃音及びシャフト音を録音する集音手段を備え、上記スイング画像及び上記打撃解析データと共に関連させて保存していると、ユーザーが自己のスイングを検討評価する際に、スイング画像及び打撃解析データだけでなく、インパクト時の打撃音及びゴルフシャフトの風きり音などを含めて包括的にスイング評価を行うことができる。
【００２２】
上記スイング画像は、打撃音、ゴルフクラブの挙動検知センサーの作動をトリガーとし、該トリガー発生の前後所要時間の画像からなる。該構成とすると、必要な画像のみを確実に記録することができる。
なお、スイッチ操作によると、スイッチＯＮ後の何秒間かの間にスイングをする等の制約が発生することとなる。
【００２３】
上記外部記録媒体は、端末機器から通信ネットワークを介してサーバーへの接続を補助するプログラムを保存しており、上記外部記録媒体のスイング情報を通信ネットワークを介して受信したサーバーから、該スイング情報を分析して診断結果等の情報を上記通信ネットワークを介して上記端末機器に送信できる構成としている。
【００２４】
上記構成とすると、上記端末機器により上記外部記録媒体に保存されたプログラムを用いることで、顧客は接続先などを意識することなく簡単に通信ネットワークを介して所要のサーバーに接続することができ、かつ、外部記録媒体内のスイング情報をサーバーに簡単にアップロードすることができる。
そして、サーバー側では受信したスイング情報を基にレッスンプロが分析して後日、その診断結果を電子メール、ＦＡＸ、Ｗｅｂサイト上での公開等の通信ネットワークを介した手段により顧客に報告することで、顧客は簡単に個別的なレッスンを受けることが可能となる。
【００２５】
また、上記サーバーにて複数人の顧客からの各スイング情報を受信することで、従来は参加者が一箇所に集合しなければ不可能であったスイングフォームコンテストやドライブコンテンスト等のサービスをＷｅｂサイト上にて行うことも可能となる。
【００２６】
上記のように、第三の発明ではスイング情報は顧客情報としてデータベースに時系列データとして蓄積保存され、この蓄積データは通信ネットワークを含む通信手段を介して顧客に提示可能としている。
【００２７】
上記のように、データベース内に各顧客毎に顧客情報として上記スイング情報を保存することで、顧客は上記データベースにアクセス可能な通信手段を介して自己のスイング情報を自由に見ることができる。
また、顧客毎に時系列データとして蓄積保存しているので、顧客側には自分のスイング情報を履歴として比較検討したりアルバム的な使用を可能としていると同時に、上記システムの運営者側には顧客毎の個人情報の把握を可能にし、いわゆるＣＲＭ（カスタマ・リレーションシップ・マネジメント）に役立てることが出来る。
【００２８】
なお、上記データベースの構築は、打撃計測機を設置しているゴルフショップやゴルフ練習場に設置された情報処理端末あるいは拠点サーバー内の記録媒体あるいは／およびシステム運営者側のメインサーバー内に構築される。
【００２９】
【発明の実施の形態】
以下、本発明の実施形態を図面を参照して説明する。
図１乃至図６は第１実施形態を示す。
図１は本発明に係るゴルフスイング記録保存システム１０の概略図を示し、情報処理機器１１と、該情報処理機器１１に接続された表示手段であるモニター１２と、該情報処理機器１１に接続された入力手段１６と、該情報処理機器１１に接続された打撃計測装置となる光学センサー式計測器１３と、該情報処理機器１１に接続されたデジタル画像形成手段となるＣＣＤ１４、１５とを備えている。
【００３０】
情報処理機器１１は、記録媒体および演算処理手段を内部に備えていると共に、外部記録媒体取出部１１ａおよび集音手段１１ｂを備えている。
上記一方のＣＣＤカメラ１４を打撃者の正面位置に設置し、他方のＣＣＤカメラ１５を飛球線後方位置に配置している。
【００３１】
顧客がゴルフボール１７の打撃を行うと、光学センサー式計測器１３でゴルフボール１７の挙動を取り込んで、ヘッドスピード、ボールスピード、ミート率、打出角、スピン方向などを計測すると共に、該計測値をもとにして一定条件下（一定温度、無風、平坦地）にて、飛距離、左右ぶれ等の予測計算値、予測飛球弾道図及び３Ｄシミュレーション図（詳細は後述する）を求めている。
また、光学センサー式計測器１３での計測と同時に、ＣＣＤカメラ１４、１５でユーザーのゴルフスイングを撮影し、正面及び飛球線後方からのスイング画像を記録し、集音手段１１ｂでインパクト時の打撃音やシャフトの風きり音などを録音している。
【００３２】
ＣＣＤカメラ１４、１５は常時撮影してＣＤＤカメラ１４、１５内あるいは情報処理機器１１内のメモリに１時間程度を上限として画像を循環保存している。上記スイング画像は、上記光学センサー式計測器１３で得られたゴルフクラブの挙動検知をトリガーとして（あるいは、上記打撃音をトリガーとして）、上記メモリ内の画像のうち該トリガー発生の前後６秒程度の画像を情報処理機器内の記録媒体に出力保存する構成としている。
また、上記スイング画像には水平線及び垂直線を付加すると共に、ゴルフコースあるいはゴルフ練習場の立体背景画像を合成して出力保存する構成としている。
【００３３】
上記計測値、計算値、飛球弾道図、３Ｄシミュレーション図、スイング画像および音声を含むスイング情報は、情報処理機器１１の内部の記録媒体に互いに関連付けされた状態で保存されると共に、モニター１２にてその場で見ることができる。
さらに、顧客が上記スイング情報のＣＤ作成を求めると、上記記録媒体に保存されたスイング情報が情報処理機器１１内にストックされている空のＣＤ−Ｒに出力され、ユーザーは該ＣＤ−Ｒを外部記録媒体取出部１１ａより取り出して持ち帰ることができるようにしている。
該ＣＤ−Ｒには上記スイング情報を５回分まで出力でき、５回以上の打撃により得られたスイング情報のうち、ユーザーが任意のものを５回分まで選択して出力している。
なお、本実施形態では、情報処理機器１１に通信ネットワークを通じてサーバーへ接続する通信手段を備えていないが、上記ＣＤ作成時にＩＤとパスワードを発行して通信手段を用いてサーバーのデータベースに送信する構成としてもよい。
【００３４】
顧客は上記ＣＤ−Ｒを持ち帰って自宅等のパソコンにてゆっくりと上記スイング情報をチェックすることができる。
上記ＣＤ−Ｒをパソコンにて読み取った際に表示されるメニュー画面２０は、図２に示すように、氏名、使用クラブ、ロフト角、シャフト硬度、日付などの使用条件表示部１２ｂと、保存されている各スイング情報を表示するための各選択ボタン２０ａと、後述するレッスン申し込みボタン２０ｃと、運営者のホームページにアクセスするためのＷＥＢアクセスボタン２０ｄとを備えている。
【００３５】
上記スイング情報は５回分保存されており、見たい回の選択ボタン２０ａをクリックすることで、図３に示すように、該当するスイング情報画面２１が表示される。
スイング情報画面２１には、ヘッドスピード、ボールスピード、ミート率、打出し角（上下）、バックスピン、打出し角（左右）、サイドスピンからなる測定値２１ａと、左右ぶれ、飛距離（キャリー）、飛距離（トータル）からなる予測計算値２１ｂと、左右方向の飛球弾道図２１ｃと、上下方向の飛球弾道図２１ｄと、飛球線後方から見たスイング画像２１ｅと、正面から見たスイング画像２１ｆと、３Ｄシミュレーション画面へ表示するための３Ｄｖｉｅｗボタン２１ｇと、各スイング画像を再生させる再生ボタン２１ｈと、スロー再生やコマ送りなどを行うためのコントロールボタン２１ｉとを備えている。
【００３６】
上記スイング情報画面２１によると、ゴルフボール打撃時に求めた測定値２１ａ、予測計算値２１ｂ及び予測飛球弾道図２１ｃ、２１ｄと併せて、スイング画像２１ｅ、２１ｆを同一画面にてチェックできるので、そのような飛球となった原因をスイング画像２１ｅ、２１ｄに映し出された自己のフォームを見てじっくり検討することができる。
【００３７】
また、スイング画像２１ｅ、２１ｆは、ユーザーの正面と飛球線後方とからの画像とすることで、スイング時のフォームがチェックし易くなると共に、水平線Ｈ及び垂直線Ｖを付加しているので、スイング時の肩の角度や頭の位置などをチェックするのが非常に容易になっている。なお、水平線Ｈ、垂直線Ｖのみならず斜め線を付加してもよいことは言うまでもない。
【００３８】
さらには、スイング画像２１ｅ、２１ｆが動画像であることにより、スイング全体の一連動作を把握し易くなると共に、コントロールボタン２１ｉをクリック後に表示されるスロー再生ボタン（図示せず）やコマ送りボタン（図示せず）などを用いることで、フォームの把握がより一層行いやすくなり、かつ、任意のタイミングの画像を得ることができる。
また、スイング画像２１ｅ、２１ｆ内をクリックする等して、部分的な拡大画像または全体的な画像を表示することを可能とすることで、スイング全体のバランスを把握できると共にグリップ等の部分的なチェックも行うことができる。
【００３９】
上記スイング情報画面２１の３Ｄｖｉｅｗボタン２１ｇをクリックすると、図４に示すような、３Ｄシミュレーション画像２２ａを含むスイング情報画面２２に切り替わる。
即ち、このスイング情報画面２２は、測定値２１ａと計算値２１ｂと飛球弾道図２１ｃ、２１ｄの代わりに、測定値２１ａをもとに算出した立体飛球弾道図２２ａ−１と立体背景画像２２ａ−２とを合成した３Ｄシミュレーション画像２２ａをゴルファーの目線からの画像として表示しているので、自己の飛球弾道をより一層視覚的に把握し易くなると共に、実際にゴルフ場で打撃を行ったような臨場感を得ることができる。
なお、数値グラフ・弾道図ボタン２２ｄをクリックすることで、もとのスイング情報画面２１に戻ることができる。
【００４０】
以上のようなスイング情報画面２１、２２は、図２に示すメニュー画面２０の１〜５回目の測定結果の各選択ボタン２０ａを押すことにより、各回に対応したスイング情報画面が上述のように表示される。
【００４１】
即ち、１〜５回目の各スイング情報を時系列的に保存しているので、ユーザーは、打撃解析データの結果が悪い時（例えば、飛球弾道図２１ｃ、２１ｄの弾道がスライスまたはフック等している場合）のスイング画像２１ｅ、２１ｆと、打撃解析データの結果が良い時（例えば、飛球弾道図２１ｃ、２１ｄの弾道が真っ直ぐの場合や飛距離が大きかった場合）のスイング画像２１ｅ、２１ｆとを比較検討したり、自己のスイングの変遷を記録した所謂カルテとして利用することができ、自己の打撃フォームの欠点の修正が容易となる。
【００４２】
次に、図２のメニュー画面２０のレッスン申し込みボタン２０ｃをクリックした場合、上記ＣＤ−Ｒ内に予め保存されたプログラムにより、該ＣＤ−Ｒの読取りをしているパソコン等から電話回線網や無線等を利用するインターネットを介して運営者の所要のサーバーに自動的にアクセスし、図５に示すようなレッスン申し込み画面２３が表示される。
【００４３】
レッスン申し込み画面２３は、クレジットカード番号、氏名、日付、電話番号、電子メールの入力フォーマット２３ａと、申し込み決定ボタン２３ｂとを備えており、各入力フォーマット２３ａに必要事項を入力した後、申し込み決定ボタン２３ｂをクリックすることで、該ＣＤ−Ｒ内に保存されているスイング画像２１ｅ、２１ｆが上記サーバーに所謂アップロードされる。
なお、スイング画像２１ｅ、２１ｆだけでなく、測定値２１ａ、計算値２１ｂおよび飛球弾道図２１ｃ、２１ｄも同時にアップロードする設定としてもよい。
【００４４】
そして、上記アップロードされたスイング画像２１ｅ、２１ｆをもとにレッスンプロが診断し、数日後に電子メールにて診断結果を報告して、個別的なレッスンを施すこととする。
なお、上記診断結果は電子メール以外にも、Ｗｅｂサイト上での公開やＦＡＸ等の通信ネットワークを介した手段を用いることで、電子メールアドレスを保有しないユーザーにも個別的なレッスンを簡単に提供することができる。
【００４５】
次に、図２のメニュー画面２０のＷＥＢアクセスボタン２０ｄをクリックした場合、上記ＣＤ−Ｒ内に予め保存されたプログラムにより、インターネットを介して上記ＣＤ−Ｒを作成したユーザー専用のＷＥＢサイトに自動的にアクセスし、ユーザーは会員専用コンテンツの提供を受けることができる。
【００４６】
上記コンテンツとしては、上記ＣＤ−Ｒ内のスイング情報をサーバーにアップロードし、ＷＥＢサイト上にてスイングフォームコンテストやドライブコンテンスト等のサービスを行うことが挙げられる。
上記コンテスト等は従来は参加者が一箇所に集合しなければ不可能であったが、Ｗｅｂサイト上にて行うことにより、遠隔地のユーザーも簡単にコンテストに参加することができる。
【００４７】
以上のように、上記情報処理機器１１に保存された上記スイング情報は、ＣＤ−Ｒ／ＲＷ等の外部記録媒体に出力して記録し、ユーザーに頒布可能としているので、ユーザーは、自宅等にてパソコン等の上記外部記録媒体を読取可能な情報端末を用いて、スイング情報をじっくりチェックすることが可能となる。
さらに、スイング情報の閲覧手段として上記ＣＤ−Ｒ等の外部記録媒体を利用しているので、自宅等にて該スイング情報の閲覧する際に通信費等が不要となり、この点からもユーザーは時間等を気にせず十分にチェックを行うことができる。
【００４８】
また、上記外部記録媒体としてライト・ワンスものではないＣＤ−Ｒ／ＲＷなどを用いることにより、ユーザーは上記システム１０の設置場所に再度訪れた時に、前回分を記録した上記外部記録媒体に今回分のスイング情報を時系列的に追加記録することにより、その外部記録媒体が自己のスイング情報履歴を集めたアルバムを作成することができる。
【００４９】
図７は第２実施形態を示す。
第１実施形態との相違点として、各設置場所の各情報処理機器１１−１〜Ｘが通信ネットワーク３０を介して運営者のサーバー５０にアクセス可能な通信手段１８−１〜Ｘを備えている。
【００５０】
上記サーバー５０にはデータベース５１が構築されており、各情報処理機器１１−１〜Ｘで得られたスイング情報を、モデム、ターミナルアダプタ、ルータ等の通信手段１８−１〜Ｘ及び通信ネットワーク３０を介してサーバー５０にて受信し、データベース５１内に各ユーザー毎に顧客情報として保存する。
ユーザー側は、パソコン等の情報端末器４０ａ、４０ｂ、ＰＤＡ等の各種携帯情報端末器４０ｃ、データの送受信が可能な携帯電話４０ｄからなる端末機器４０を用いてデータベース５１に通信ネットワーク３０を介してアクセスし、自己のスイング情報を自由に見ることができる。一方、上記システムの運営者側には顧客毎の個人情報の把握を可能にし、いわゆるＣＲＭ（カスタマ・リレーションシップ・マネジメント）に役立てることことができる。
【００５１】
なお、運営者がサーバー５０の管理の業務委託している場合には、該サーバーは管理業者内に設置されていることは言うまでもない。
また、上記データベース構築場所は、運営者側のサーバー５０に限らず、ユーザーが打撃計測を行うゴルフ練習場やショップに設置された情報処理機器１１あるいは拠点サーバー内の記録媒体に構築して分散管理してもよい。
さらにまた、本実施形態では、測定値、計算値、飛球弾道図及びスイング画像を一画面で表示しているが、ユーザーの利便性や操作性を損なわない場合は別画面表示してもよい。
【００５２】
【発明の効果】
以上の説明より明らかなように、本発明によれば、ゴルフボール打撃時のスイング画像が上記打撃解析データと関連付けされた状態でスイング情報として情報処理機器の記録媒体に保存していることにより、上記打撃解析データを検討する際に、当該打撃時の打撃フォームを併せて比較検討することができる。
また、複数回の打撃時の各スイング情報を時系列的に保存することで、打撃解析データの結果が悪い時と良い時のスイング画像を比較検討でき、打撃フォームの欠点が容易に発見できる。
さらに、上記スイング情報をＣＤ−Ｒ／ＲＷ等の外部記録媒体に出力して記録し、ユーザーがそれを持ち帰ることで、後日、自宅等にてパソコン等を用いて通信費等も気にすることなく、じっくりチェックすることが可能となる。
【００５３】
上記スイング画像を正面あるいは／および飛球線後方からの画像とすることで、フォームのチェックが行い易くなると共に、上記スイング画像に上記補助線を付加することで、チェックポイントである肩の角度、頭の位置、体の開き等の視認性を向上させることができる。
上記スイング画像は動画像とし、スロー再生あるいは／およびコマ送り再生可能とし、かつ、全体的な画像と部分的な拡大画像を表示可能とすることにより、打撃フォームのチェック機能が多彩となる。
【００５４】
上記打撃計測装置で計測された各種測定値を基にして左右ぶれ、飛距離を計算しているので、実際にゴルフコースで打撃したのと同じように、打球の弾道を把握できると共に、飛球弾道図や３Ｄシミュレーション画像をも表示することで、飛球弾道をビジュアル的に容易に把握することができる。
また、上記ゴルフスイング記録保存システムに、上記打撃時の打撃音及びシャフト音を録音する集音手段を備えることで、上記スイング情報として共に保存していると、インパクト時の打撃音及びゴルフシャフトの風きり音などを含めて包括的にスイング評価を行うことができる。
上記スイング画像は、打撃音、ゴルフクラブの挙動検知センサーの作動をトリガーとし、該トリガー発生の前後所要時間の画像を保存すると、面倒なスイッチＯＮ等の作業が不要となると共に、効率的な記録時間にて確実にスイング画像を記録保存できる。
【００５５】
上記外部記録媒体には、通信ネットワークを介した所要のサーバーへの接続を補助するプログラムを保存していることで、上記外部記録媒体を読取可能な端末機器から接続先などを意識することなく簡単に所要のサーバーに接続可能となり、外部記録媒体内のスイング情報を簡単にサーバーにアップロードできる。
そして、サーバー側では受信したスイング情報を基にレッスンプロが分析して後日、その診断結果を電子メール等を用いてユーザーに個別的なレッスンを施すことができる。
【００５６】
上記スイング情報は顧客情報としてデータベースに時系列データとして蓄積保存することで、ユーザーは上記データベースにアクセス可能な通信手段を介して自己のスイング情報を自由に見ることができると同時に、上記システムの運営者側は顧客毎の個人情報の把握を可能にし、いわゆるＣＲＭに役立てることが容易となる。
【図面の簡単な説明】
【図１】  本発明に係る第１実施形態のゴルフスイング記録保存システムの概略斜視図である。
【図２】  外部記録媒体に保存されたプログラムのメニュー画面である。
【図３】  測定値、計算値、飛球弾道図およびスイング画像を同時表示した画面である。
【図４】  ３Ｄシミュレーション画面およびスイング画像を同時表示した画面である。
【図５】  レッスン申し込み画面である。
【図６】  システムの利用手順の一例を示すフローチャートである。
【図７】  第２実施形態のシステム全体図である。
【符号の説明】
１０、１００    ゴルフスイング記録保存システム
１１            情報処理機器
１１ａ          外部記録媒体取出部
１１ｂ          集音手段
１２            モニター
１３            打撃計測機
１４、１５      ＣＣＤカメラ
１７            ゴルフボール
１８            通信手段
２０            メニュー画面
２１、２２      スイング情報画面
２１ａ          測定値
２１ｂ          計算値
２１ｃ、２１ｄ  飛球弾道図
２１ｅ、２１ｆ  スイング画像
２２ａ          ３Ｄシミュレーション画像
２３            レッスン申し込み画面
３０            通信ネットワーク
４０            端末機器
５０            サーバー
５１            データベース
Ｈ              水平線（補助線）
Ｖ              垂直線（補助線）
【図１】
0004439772.tif 000002
【図２】
0004439772.tif 000003
【図３】
0004439772.tif 000004
【図４】
0004439772.tif 000005
【図５】
0004439772.tif 000006
【図６】
0004439772.tif 000007
【図７】
0004439772.tif 000008